(57)【要約】  色調の異なる２種類以上の樹脂で形成された樹脂層の数が３〜６層の範囲にある多重芯鞘横断面構造を有する複合繊維の長手方向一端部または両端部が、先端側ほど小径となる先細りテーパー形状に形成されていることを特徴とするブラシ用毛材、およびそれを用いたブラシ。細かい部位までの優れた清掃性を有するとともに、段階的な磨耗度合の判断を行うことが可能で、ブラシの交換時期を段階的に的確に判断することが可能なブラシ用毛材と、それを用いたブラシを提供できる。
2017111010.tif 000002
【特許請求の範囲】
【請求項１】
色調の異なる２種類以上の樹脂で形成された樹脂層の数が３〜６層の範囲にある多重芯鞘横断面構造を有する複合繊維の長手方向一端部または両端部が、先端側ほど小径となる先細りテーパー形状に形成されていることを特徴とするブラシ用毛材。
【請求項２】
前記複合繊維の横断面における一つの樹脂層の厚みが１０〜３００μｍの範囲にある、請求項１に記載のブラシ用毛材。
【請求項３】
前記先細りテーパー形状に形成されている前記複合繊維の長手方向長さが０．５〜１０ｍｍの範囲にある、請求項１または２に記載のブラシ用毛材。
【請求項４】
前記２種類以上の樹脂が色調の異なるポリエステル系樹脂からなる、請求項１〜３のいずれかに記載のブラシ用毛材。
【請求項５】
前記複数の樹脂層が同心状に設けられており、かつ、前記複合繊維の横断面において、少なくとも２つの樹脂層の横断面形状が円状、あるいは円状以外の角形または閉ループ状波形に形成されている、請求項１〜４のいずれかに記載のブラシ用毛材。
【請求項６】
請求項１〜５のいずれかに記載のブラシ用毛材が少なくとも一部に使用されているブラシ。
【発明の詳細な説明】
【技術分野】
【０００１】
本発明は、歯ブラシを含む各種ブラシに好適なブラシ用毛材及びそれを用いたブラシに関する。
【背景技術】
【０００２】
従来から、ブラシ用毛材として合成繊維のモノフィラメントを使用する技術が広く知られている。このようなブラシ用毛材を用いたブラシ、例えば歯ブラシにおいては、歯間のような細かい箇所まで良好に清掃可能な毛先による優れた清掃効果を有することが望まれるとともに、消費者において、毛材の磨耗によるブラシの交換時期が判断できると非常に便利である。【０００３】
しかし、ブラシ用毛材が毛先まで単一の材質のモノフィラメントで形成されたものでは、このような要求を満たすことが難しいことがある。すなわち、毛先まで単一の材質のモノフィラメントで形成されたものでは、ブラシ用毛材を太くすれば、ブラシの腰も強くなって歯の平坦面等に対する清掃効果は高められるが、逆に、歯間等の清掃効果が低下したり、歯ぐき等への触感が強くなりすぎ、歯ぐき等に傷をつけやすくなるおそれがある。また、ブラシ用毛材を細くすれば、歯間等の清掃効果は高められるものの、ブラシ用毛材の腰が全長にわたって弱くなり、歯ぐき等のマッサージ効果が低下したり、毛材そのものの耐久性が低下したりするおそれがある。さらに、単一の材質のモノフィラメントで形成されているため、毛材の磨耗の度合を目視等により的確に判断することは難しい。【０００４】
他の分野における清掃用や洗浄用のブラシにおいても、おおむね同様の問題がある。【０００５】
毛材の磨耗の度合を目視等により判断することが可能な歯ブラシとして、例えば特許文献１に記載されているように、毛材表面を染色し、染色部分が磨滅することにより、毛先の色が変化し交換時期を知らせるようにした歯ブラシが知られている。しかし、この特許文献１に記載されている歯ブラシにおいては、毛材の先端から毛材長手方向に磨滅が進行した場合、必ずしも予定した色の変化が得られるとは限らない。毛材の径方向に磨滅が進行した場合には、毛材表面の染色層が消滅した時に色の変化は得られるが、色の変化が得られたとしても、段階的な磨耗度合の判断はできないので、交換時期を的確にかつ段階的に判断することは困難である。さらに、特許文献１に記載されている歯ブラシでは、毛材が毛先まで実質的に同じ太さであるので、毛先による細かい部位までの優れた清掃性は期待できない。
【先行技術文献】
【特許文献】
【０００６】
【特許文献１】特開平２−１５２４０６号公報
【発明の概要】
【発明が解決しようとする課題】
【０００７】
そこで本発明の課題は、従来の特許文献１に記載されているようなブラシにおける問題点に着目し、とくに細かい部位までの優れた清掃性を有するとともに、段階的な磨耗度合の判断を行うことが可能で交換時期を段階的に的確に判断することが可能なブラシ用毛材と、それを用いたブラシを提供することにある。
【課題を解決するための手段】
【０００８】
上記課題を解決するために、本発明に係るブラシ用毛材は、色調の異なる２種類以上の樹脂で形成された樹脂層の数が３〜６層の範囲にある多重芯鞘横断面構造を有する複合繊維の長手方向一端部または両端部が、先端側ほど小径となる先細りテーパー形状に形成されていることを特徴とするものからなる。【０００９】
このような本発明に係るブラシ用毛材においては、ブラシに使用された場合に毛先を形成する複合繊維からなる毛材の長手方向一端部または両端部（後述の如く、ブラシ用毛材がブラシに使用される際、毛材の一端部が毛先になる場合と両端部が毛先になる場合の両方がある。）が、先端側ほど小径となる先細りテーパー形状に形成されているので、尖鋭な毛先の先端が形成されることになり、ブラシとして使用された場合に細かい部位までの優れた清掃性を有する。そして、このブラシ用毛材を構成する複合繊維が、色調の異なる２種類以上の樹脂で形成され、樹脂層の数が３〜６層の範囲にある多重芯鞘横断面構造を有するので、上記先細りテーパー形状の毛先部においては、隣接樹脂層間で色調が異なった状態にて複数の樹脂層がテーパー形状の側面に沿って複数配列された状態で外部に現れることになる。ブラシの使用期間に応じて、このような毛材の先端側から毛材長手方向に磨耗が進行した場合、側面から見たときの毛材先端に位置する樹脂層は、上記樹脂層の配列に基づいて順次変化していき、この樹脂層の変化によって毛先部の側面の色調も順次変化する。この色調の変化は、毛材の先端側からの磨耗の進行度合に対応したものであるから、該色調の変化の観察によって磨耗度合を段階的に判断することが可能になり、それによってブラシの交換時期を段階的に的確に判断することが可能になる。【００１０】
上記本発明に係るブラシ用毛材においては、隣接樹脂層の色調の差をより明確にするために、少なくとも１層を不透明にすることが好ましい。不透明にする方法としては特に限定されないが、無機粒子を添加する方法によることが好ましい。無機粒子の添加量としては、複合繊維中０．１〜１０重量%、さらには０．３〜５重量%の範囲が好ましい。添加する無機粒子の種類としては、酸化チタン、酸化ケイ素、炭酸カルシウム、チッ化ケイ素、クレー、タルク、カオリン、ジルコニウム酸等が例示でき、これらの中でも酸化チタン、酸化ケイ素、酸化アルミニウム、ジルコニウムなどに代表される金属酸化物が好ましい。さらに、樹脂中への分散性の点からは、酸化チタン、酸化ケイ素が特に好ましく用いられる。【００１１】
上記本発明に係るブラシ用毛材においては、上記複合繊維の横断面における一つの樹脂層の厚みは、１０〜３００μｍの範囲にあることが好ましく、より好ましくは１５〜１５０μｍの範囲である。各樹脂層の厚みは同一でも、互いに異なっていてもよい。一つの樹脂層の厚みが上記のような適切な範囲にあることにより、上述のテーパー形状の毛先部の磨耗の進行に伴う毛先部側面の色調の変化を容易に観察できるようになり、ブラシの交換時期を段階的により的確に判断することが可能になる。【００１２】
また、本発明に係るブラシ用毛材においては、上記複合繊維の直径としては、５０〜１，０００μｍの範囲にあることが好ましく、より好ましくは、８０〜５００μｍの範囲である。複合繊維の径が５０μｍ未満であると、ブラシに使用される際の複合繊維部自身の腰が弱くなりすぎ、用途によっては清掃効果が低下するおそれがある。複合繊維の径が１，０００μｍを超えると、ブラシに使用される際の複合繊維部自身の腰が強くなりすぎ、先端部の先細りテーパー形状部の長さにもよるが、テーパー形状部の根元部における複合繊維部が被清掃物側に強く押し付けられて被清掃物を傷つけやすくなるおそれがある。【００１３】
また、本発明に係るブラシ用毛材においては、上記先細りテーパー形状に形成されている上記複合繊維の長手方向長さとしては、０．５〜１０ｍｍの範囲にあることが好ましく、より好ましくは、１〜５ｍｍの範囲である。先細りテーパー形状部の長さが０．５ｍｍよりも短いと、上述の毛先部の磨耗の進行に伴う毛先部側面の色調の変化の観察が難しくなることがあるとともに、形成された尖鋭な先端部による歯間等の細かい部位に対する優れた清掃性が得られにくく、また、良好なソフトな触感も得られにくい。先細りテーパー形状部の長さが１０ｍｍよりも長いと、先端側程腰の弱い先細りテーパー形状部が長くなりすぎるおそれがあり、先細りテーパー形状部が変形しすぎて清掃効果(例えば、汚れを絡め取る効果)や、歯ぐき等のマッサージ効果が不足するおそれが生じる。【００１４】
また、本発明に係るブラシ用毛材においては、色調の異なる２種類以上の樹脂の樹脂層で形成された多重芯鞘横断面構造を有する複合繊維は、その長手方向一端部または両端部において先端部が先細りテーパー形状に形成されるが、この先端部の先細りテーパー形状は、例えば、先端部の所定長さ範囲を溶解用薬剤による溶解処理(例えば、アルカリ処理)によって順次溶解していくことで形成可能である。この場合、例えば、各樹脂層は同種の樹脂で構成し、隣接樹脂層の色調を互いに異なる色調に設定すればよい。例えば、各樹脂層を構成する色調が互いに異なる２種類以上の樹脂が色調の異なるポリエステル系樹脂(例えば、ポリブチレンテレフタレート)からなる形態を例示できる。ただし、先端部の先細りテーパー形状の形成は、機械的な研磨によっても可能である。この場合には、溶解処理により順次溶解させることは考慮しなくてもよいので、各樹脂層が同種の樹脂で構成される必要はない。【００１５】
また、本発明に係るブラシ用毛材においては、色調の異なる２種類以上の樹脂の樹脂層で形成された多重芯鞘横断面構造を有する複合繊維の長手方向一端部または両端部における先端部が先細りテーパー形状に形成され、テーパー形状部の側面において、隣接樹脂層の色調が互いに異なる色調とされるが、前述の如く、テーパー形状の毛先部の磨耗の進行に伴う毛先部側面の色調の変化を容易に観察でき、ブラシの交換時期を段階的により的確に判断することを可能にするためには、色調が互いに異なる樹脂層がテーパー形状部の側面に明瞭に現れることが好ましく、また、ブラシの交換時期の段階的な判断をより用意に行うためには、テーパー形状部の側面に適切な層状の形状で現れることが好ましい。これを達成するためには、上記複数の樹脂層が同心状に設けられており、かつ、上記複合繊維の横断面において、少なくとも２つの樹脂層の横断面形状が円状(例えば、同心円状に配置された形態)、あるいは円状以外の角形(例えば、三角形や四角形、さらにはそれ以上の多角形)または閉ループ状波形(後述の例に示すように、横断面において波打ちながら円状やその他の閉ループ形状を形成するように樹脂層を延在させた形態)に形成されていることが好ましい。【００１６】
本発明は、上記のような本発明に係るブラシ用毛材が少なくとも一部に使用されているブラシについても提供する。とくに、本発明に係るブラシは、上述したようにテーパー形状に形成された毛材の先端側からの磨耗の進行度合をテーパー形状部の側面の色調の変化の観察によって段階的に判断することを可能にした毛材が使用されるので、それによってブラシの交換時期を段階的に的確に判断することが可能になる。また、ブラシの毛先部が先細りテーパー形状に形成されることになるので、細かい部位に対しても優れた清掃性を兼ね備え、しかもその毛先部によるソフトな触感を得ることも可能であるので、特に歯ブラシ、精密洗浄用のブラシ、洗顔ブラシ、化粧ブラシ等としても好適である。【００１７】
このような本発明に係るブラシにおいては、その用途にもよるが、好ましいブラシの毛丈(ブラシ根元から毛先までの長さ) の範囲として、１〜５０ｍｍの範囲が例示され、より好ましくは、５〜３５ｍｍの範囲である。
【発明の効果】
【００１８】
このように、本発明によれば、特に、ブラシの交換時期を段階的に的確に判断することが可能なブラシ用毛材を提供することができる。【００１９】
また、本発明によれば、上記のようなブラシ用毛材を少なくとも一部に使用した各種ブラシを提供でき、特に歯ブラシ、精密洗浄用のブラシ、洗顔ブラシ、化粧ブラシ等として好適なブラシを提供することができる。
【図面の簡単な説明】
【００２０】
【図１】本発明の一実施形態に係るブラシ用毛材を示しており、図１（Ａ）は毛材の一端部の概略側面図、図１（Ｂ）は図１（Ａ）のＢ−Ｂ線に沿う概略横断面図である。
【図２】ブラシ用毛材を歯ブラシに使用する際の植毛方法を示す概略構成図である。
【図３】図１（Ａ）のブラシ用毛材の磨耗の進行例を示す概略側面図である。
【図４】本発明に係るブラシ用毛材の各種形態例を示す概略側面図および概略横断面図である。
【図５】本発明に係るブラシ用毛材のさらに別の各種形態例を示す概略側面図および概略横断面図である。
【発明を実施するための形態】
【００２１】
以下に、本発明の実施の形態について、図面を参照しながら説明する。
図１は、本発明の一実施形態に係るブラシ用毛材１を示しており、図１（Ａ）は該毛材１の一端部を示している。ブラシ用毛材１は、図１（Ｂ）に示すように、色調の異なる２種類以上の（本実施形態では２種類の）樹脂で形成された樹脂層２ａ、２ｂ、２ｃの数が３〜６層の範囲にある(図示例では３層の)多重芯鞘横断面構造を有する複合繊維３から形成されている。本実施形態では、各樹脂層２ａ、２ｂ、２ｃは、同心状に、特に図１（Ｂ）に示すように同心円状に、配置されている。この複合繊維３の長手方向一端部または両端部が（図１（Ａ）は該毛材１の一端部のみを示している。）、先端側ほど小径となる先細りテーパー形状に形成されている(先細りテーパー形状部４)。この先細りテーパー形状部４のテーパー形状は、例えば、アルカリ処理により毛材１の一端部の所定長部分を順次溶解することにより、あるいは機械的な研磨により、形成することができる。アルカリ処理による溶解で形成する場合には、色調が互いに異なる同種のポリエステル系樹脂、例えば、色調の異なるポリブチレンテレフタレート（ＰＢＴ）で形成樹脂層を形成しておけばよい。上記の如く各樹脂層２ａ、２ｂ、２ｃは複合繊維３の横断面において同心円状に配置されているので、先細りテーパー形状部４の側面には、図１（Ａ）に示すように、各樹脂層２ａ、２ｂ、２ｃが、隣接樹脂層の色調が互いに異なる状態で、外部に対して層状に（横方向に縞状に延びる層として）現れる。複合繊維３の横断面における各層の厚みは、テーパー形状部４の側面に明確に現れるように、前述の如き適切な範囲、１０〜３００μｍの範囲に設定されている。また、この先細りテーパー形状部４の繊維長手方向の長さも、前述の如き適切な範囲、０．５〜１０ｍｍの範囲に設定されている。
【００２２】
上記のように構成されたブラシ用毛材１が、各種ブラシの作製のために少なくとも一部に使用される。一般に、ブラシ用毛材をブラシ構成部材に植毛する際の方法として、代表的に二種の方法が知られているが、これら二種の方法を、歯ブラシへの使用の場合を例にとって、図２を参照しながら説明する。
【００２３】
図２（Ａ）は、ブラシ用毛材１１が歯ブラシ構成部材１２のヘッド部に植毛された歯ブラシ１３を示しており、このブラシ用毛材１１の植毛方法として、図２（Ａ）のａ−ａ線に沿う拡大断面図である図２（Ｂ）、（Ｃ）に示すような二種の方法がある。図２（Ｂ）に示す方法では、植毛穴１４に二つ折りにしたブラシ用毛材１１を差し込み、平線１５と称されている固定具でブラシ用毛材１１を歯ブラシ構成部材１２に固定する。完成された歯ブラシは、通常、平線歯ブラシと呼ばれている。このような平線歯ブラシでは、予め作製されたブラシ用毛材１１の両端部がブラシの毛先となる。図２（Ｃ）に示す方法では、歯ブラシ構成部材１２のヘッド部表面側部材１２ａの貫通穴１６にブラシ用毛材１１の一端部を挿通させ、挿通されたブラシ用毛材１１の端部に加熱装置(図示略)を当てて焼玉１７と称されている抜け防止あるいは固定用の塊を形成し、しかる後に、ヘッド部裏面側部材１２ｂを接合し焼玉１７を隠して歯ブラシ商品を完成させる。完成された歯ブラシは、通常、無平線歯ブラシと呼ばれている。このような無平線歯ブラシでは、予め作製されたブラシ用毛材１１の一端部がブラシの毛先となる。したがって、本発明に係るブラシ用毛材１が平線歯ブラシに使用される場合には、上述した先細りテーパー形状部４はブラシ用毛材１の両端部に形成されることになり、無平線歯ブラシに使用される場合には、テーパー形状部４はブラシ用毛材１の一端部に形成されることになる。
【００２４】
上記実施形態に係るブラシ用毛材１を使用したブラシにおいては、前述したように、ブラシに使用された場合に毛先を形成する複合繊維３からなる毛材１の長手方向一端部または両端部が、先細りテーパー形状部４に形成されているので、尖鋭な毛先の先端が形成されることになり、ブラシとして使用された場合に細かい部位までの優れた清掃性を有する。そして、先細りテーパー形状部４には、隣接層間で互いに色調の異なる樹脂層２ａ、２ｂ、２ｃが層状に現れているので、例えば図３（Ａ）から（Ｃ）に示すように、ブラシの使用期間に応じて、毛材１の先端側から毛材長手方向に磨耗が進行した場合、側面から見たとき、つまり、先細りテーパー形状部４を側面から見たとき、そこに現れていた樹脂層２ａ、２ｂ、２ｃが毛材先端側から順次磨耗、消滅していくことになり、その磨滅に伴う毛材先端部の変化により、毛材先端側における色調も順次変化する。この色調の変化は、毛材の先端側からの磨耗の進行度合に対応したものであるから、該色調の変化の観察によって磨耗度合を段階的に判断することが可能になり、それによってブラシの交換時期を段階的に的確に判断することが可能になる。
【００２５】
上記実施形態について、歯ブラシに適用した場合の代表的な特徴を表１にまとめた。上記実施形態では、多重芯鞘横断面構造を有する複合繊維３を色調のみが異なる２種類以上のポリブチレンテレフタレート（ＰＢＴ）で形成し、所定長の毛材先端部にアルカリ処理で先細りテーパー形状部４を形成した。表１におけるブラシ用毛材の特性は、通常一般の単一の材質のナイロン（登録商標）のモノフィラメントで形成されたブラシ用毛材との対比特性として示してあり、毛材磨耗によるブラシの交換時期に段階的な判断性能に関しては、前述の特許文献１に記載の毛材との対比特性として示してある。表１における○は、対比対象と同等以上の特性を有することを示しており、◎は、対比対象に比べ顕著に優れていることを示している。
【００２６】
【表１】
2017111010.tif 000003
【００２７】
本発明に係るブラシ用毛材においては、とくに上記先細りテーパー形状部は各種形態を採り得る。図４、図５に各種形態を例示する。
【００２８】
図４（Ａ）に示すブラシ用毛材２１は、実質的に図１に示した形態と同じものであり、色調の異なる２種類の樹脂で形成された３層の樹脂層２２ａ、２２ｂ、２２ｃの多重芯鞘横断面構造を有する複合繊維２３から形成されており、複合繊維２３の長手方向一端部または両端部が、先端側ほど小径となる先細りテーパー形状部２４に形成されている。本実施形態では、中間の樹脂層２２ｂの厚みが、図１（Ｂ）に示した形態に比べ若干大きく形成されている。図４（Ｂ）に示すブラシ用毛材３１では、色調の異なる２種類の樹脂で形成された５層の樹脂層３２ａ、３２ｂ、３２ｃ、３２ｄ、３２ｅの芯鞘横断面構造を有する複合繊維３３から形成されており、複合繊維３３の長手方向一端部または両端部が、先端側ほど小径となる先細りテーパー形状部３４に形成されている。図４（Ｃ）に示すブラシ用毛材４１では、色調の異なる２種類の樹脂で形成された３層の樹脂層４２ａ、４２ｂ、４２ｃの多重芯鞘横断面構造を有する複合繊維４３から形成されており、複合繊維４３の長手方向一端部または両端部が、先端側ほど小径となる先細りテーパー形状部４４に形成されている。本実施形態では、先細りテーパー形状部４４の傾斜角が、図４（Ａ）、図４（Ｂ）に示した形態に比べ変更されている。
【００２９】
また、図５（Ａ）に示すブラシ用毛材５１では、色調の異なる３種類の樹脂で形成された４層の樹脂層５２ａ、５２ｂ、５２ｃ、５２ｄの芯鞘横断面構造を有する複合繊維５３から形成されており、複合繊維５３の長手方向一端部または両端部が、先端側ほど小径となる先細りテーパー形状部５４に形成されている。図５（Ｂ）に示すブラシ用毛材６１では、色調の異なる２種類の樹脂で形成された３層の樹脂層６２ａ、６２ｂ、６２ｃの多重芯鞘横断面構造を有する複合繊維６３から形成されており、複合繊維６３の長手方向一端部または両端部が、先端側ほど小径となる先細りテーパー形状部６４に形成されている。本実施形態では、中間の樹脂層６２ｂが横断面形状にて三角形の樹脂層に形成されており、側面においては、つまり、先細りテーパー形状部６４においては、外部に対して図示のような形状層として現れる。図５（Ｃ）に示すブラシ用毛材７１では、色調の異なる２種類の樹脂で形成された３層の樹脂層７２ａ、７２ｂ、７２ｃの多重芯鞘横断面構造を有する複合繊維７３から形成されており、複合繊維７３の長手方向一端部または両端部が、先端側ほど小径となる先細りテーパー形状部７４に形成されている。本実施形態では、中間の樹脂層７２ｂが波状で略円形に延びる閉ループ形状の樹脂層に形成されており、側面においては、つまり、先細りテーパー形状部７４においては、外部に対して図示のような形状層として現れる。
【００３０】
このように、本発明における多重芯鞘横断面構造を有する複合繊維および先細りテーパー形状部としては種々の形態を採り得、用途や使用目的に応じて、最適な設計をすることが可能である。
【実施例】
【００３１】
以下に、本発明の実施例について説明する。
実施例１〜３、比較例１
［ブラシ用毛材の作製］
原料として、ポリブチレンテレフタレート（ＰＢＴ、東レ（株）製“トレコン”（登録商標）１１００ＳＷ）、ナイロン６１０（Ｎｙ６１０、東レ（株）製“アミラン” （登録商標）ＣＭ２００１）、熱可塑性ポリエステルエラストマー（東レ・デュポン社製“ハイトレル”（登録商標）７２４７）を推奨される条件にて乾燥し準備した。各樹脂層（横断面中心部から順にａ層、ｂ層、ｃ層、・・・と表す。ａ層は円形中心部）の組成、色調、樹脂層の厚み、樹脂層の数を表２の通りとし、多重芯鞘横断面構造を有する複合繊維を溶融紡糸した。溶出された繊維を水中で冷却固化させた後、一段目として６０℃の温水中で、二段目として１２０℃乾燥雰囲気中で４．５倍に延伸し、次いで乾熱雰囲気中で弛緩熱セットを実施して複合繊維を得た。得られた複合繊維の構成を表２に示す。【００３２】
上記複合繊維を束径４５ｍｍの直線状に束ねて包装した後、任意の長さにカットした。次いで先端を先細りテーパー形状に形成した。アルカリ処理にて先細りテーパー形状を形成した実施例（実施例１）では、カットされた両端面を露出した状態で複合繊維の束を加温した苛性ソーダ溶液に浸漬して、両端部を溶解し、両端を先細りテーパー形状に形成した。また、機械研磨にて先細りテーパー形状を形成した実施例（実施例２、３）では、後述の方法にてカットされた複合繊維を歯ブラシに植毛した後、仕上げ加工をＺ．ＳＷＯＲＤ  １１６（ザホランスキー社製）を用いて行い、歯ブラシの毛先を先細りテーパー形状に形成した。得られたブラシ用毛材の特徴を表２に示す。【００３３】
比較例１として、ＰＢＴ繊維を上記同様に苛性ソーダ溶液に浸漬して、アルカリ処理にて両端部を先細りテーパーに加工したブラシ用毛材を作製した。【００３４】
［歯ブラシの作製］
上記の方法で得られたブラシ用毛材を平線式植毛機にセットし、所定の本数（１５〜４０本程度）をピッキングし、平線と共に歯ブラシヘッドの植毛穴に二つ折りにして打ち込んだ。歯ブラシヘッドとしては、植毛穴の直径が１．５ｍｍ、８行４列の植毛部を有するものを用いた。実施例、比較例で作製した歯ブラシの毛丈（ｍｍ）と植毛本数（本／穴）を表２に示す。【００３５】
得られた各歯ブラシについて、以下の評価を行い、表２に示す結果を得た。
［清掃性評価］
歯列模型にニッシン社製人工プラークを塗布し、５分以上乾燥させた。歯列模型の上面から荷重２３０ｇの力で水を含ませた歯ブラシを押し当て、歯列に沿う方向にストローク幅７０ｍｍ、ストローク速度１８０ｍｍ／ｓｅｃでブラッシングを行った。歯面の評価には歯列模型の奥歯部分上側を、歯間の評価には前歯部分外側を使用した。ナイロン毛歯ブラシにて２０回ブラッシングした時の汚れの残り具合を基準とし、基準に至るまでのブラッシング回数から清掃性を次の式にて算出した。
清掃性＝２０÷（基準に至るまでのブラッシング回数）【００３６】
［毛開き耐久性評価］
歯ブラシに対して摺動面裏側から垂直に５００ｇの荷重を掛け、３７℃の温水を滴下させた状態でステンレス製の波板に対して歯ブラシの長手方向にストローク幅７０ｍｍ、ストローク速度１８０ｍｍ／ｓｅｃで１０００回摺動運動をさせ、ブラシ部の毛開き率を測定した。毛開き率の算出方法は、初期状態におけるブラシ部の横幅をＡｍｍ、摺動後の横幅をＢｍｍとしたとき、（Ｂ−Ａ）／Ａ×１００％とした。【００３７】
［交換時期判断性能評価］
上記毛開き耐久性の評価と同様の条件で、ストローク回数１０００回ごとに歯ブラシ側面の毛先を肉眼で観察し、先端の色調が変化するまでのストローク回数を記録した。また、色調が２回変化するまでを観察した。【００３８】
［使用感評価］
成人２０名に３０日間歯ブラシを使用してもらい、次の基準にて回答を求め、平均の点数を評価値とした。
点数    触感
５    非常に柔らかい
４    柔らかい
３    ふつう
２    硬い
１    非常に硬い【００３９】
【表２】
2017111010.tif 000004
【産業上の利用可能性】
【００４０】
本発明は、あらゆるブラシに適用でき、特に、歯ブラシ、精密洗浄用ブラシ、洗顔ブラシ、化粧ブラシ等に好適なものである。
【符号の説明】
【００４１】
１、２１  ブラシ用毛材
２ａ、２ｂ、２ｃ  樹脂層
３  複合繊維
４  先細りテーパー形状部
１１  ブラシ用毛材
１２  歯ブラシ構成部材
１２ａ  ヘッド部表面側部材
１２ｂ  ヘッド部裏面側部材
１３  歯ブラシ
１４  植毛穴
１５  平線
１６  貫通穴
１７  焼玉
２１、３１、４１、５１、６１、７１  ブラシ用毛材
２２ａ、２２ｂ、２２ｃ、３２ａ、３２ｂ、３２ｃ、３２ｄ、３２ｅ、４２ａ、４２ｂ、４２ｃ、５２ａ、５２ｂ、５２ｃ、５２ｄ、６２ａ、６２ｂ、６２ｃ、７２ａ、７２ｂ、７２ｃ  樹脂層
２３、３３、４３、５３、６３、７３  複合繊維
２４、３４、４４、５４、６４、７４  先細りテーパー形状部
【図１】
2017111010.tif 000005
【図２】
2017111010.tif 000006
【図３】
2017111010.tif 000007
【図４】
2017111010.tif 000008
【図５】
2017111010.tif 000009
【手続補正書】
【提出日】平成29年5月2日(2017.5.2)
【手続補正１】
【補正対象書類名】明細書
【補正対象項目名】００１５
【補正方法】変更
【補正の内容】
【００１５】
また、本発明に係るブラシ用毛材においては、色調の異なる２種類以上の樹脂の樹脂層で形成された多重芯鞘横断面構造を有する複合繊維の長手方向一端部または両端部における先端部が先細りテーパー形状に形成され、テーパー形状部の側面において、隣接樹脂層の色調が互いに異なる色調とされるが、前述の如く、テーパー形状の毛先部の磨耗の進行に伴う毛先部側面の色調の変化を容易に観察でき、ブラシの交換時期を段階的により的確に判断することを可能にするためには、色調が互いに異なる樹脂層がテーパー形状部の側面に明瞭に現れることが好ましく、また、ブラシの交換時期の段階的な判断をより容易に行うためには、テーパー形状部の側面に適切な層状の形状で現れることが好ましい。これを達成するためには、上記複数の樹脂層が同心状に設けられており、かつ、上記複合繊維の横断面において、少なくとも２つの樹脂層の横断面形状が円状(例えば、同心円状に配置された形態)、あるいは円状以外の角形(例えば、三角形や四角形、さらにはそれ以上の多角形)または閉ループ状波形(後述の例に示すように、横断面において波打ちながら円状やその他の閉ループ形状を形成するように樹脂層を延在させた形態)に形成されていることが好ましい。
【国際調査報告】
2017111010.tif 000010
2017111010.tif 000011